(57)【特許請求の範囲】
【請求項１】
基部を本体に固定して対向配置した上下一対の保持板と、櫛状の刃部を有し、両保持板間に保持されて差動状に往復運動して刃部を擦り合わせて切断作用をなす少なくとも一方を可動とした上下一対の切刃と、両切刃間に隙間を設けて介装されて上下の切刃の基部が接触しないよう遮蔽する平板状の中間材と、を備えた刈込み装置において、中間材に可動切刃表面と点接触する点接触部を設けてなることを特徴とする刈込み装置。
【請求項２】
基部を本体に固定して対向配置した上下一対の保持板と、櫛状の刃部を有し、両保持板間に保持されて差動状に往復運動して刃部を擦り合わせて切断作用をなす少なくとも一方を可動とした上下一対の切刃と、両切刃間に隙間を設けて介装されて上下の切刃の基部が接触しないよう遮蔽する平板状の中間材と、を備えた刈込み装置において、中間材に可動切刃表面と線接触する線接触部を設けてなることを特徴とする刈込み装置。
【発明の詳細な説明】
【０００１】
【発明の属する技術分野】
本発明は、庭木などの樹木の剪定や草刈に用いられる刈込み装置に関するものである。
【０００２】
【従来の技術】
従来、図７に示すように、刈込み装置として、基部を本体に固定して対向配置した上下一対の保持板１ａ，１ｂと、櫛状の刃部を有し、両保持板１ａ，１ｂ間に保持されて差動状に往復運動して刃部を擦り合わせて切断作用をなす少なくとも一方を可動とした上下一対の切刃２ａ，２ｂと、両切刃２ａ，２ｂ間に介装されて上下の切刃２の基部が接触しないよう遮蔽する中間材３とを備えたものが提案されている。中間材３としては、例えば樹脂材などの切刃２よりも柔らかい材質のものから、プレート状に形成されて後端部が下側の保持板１ｂの後端部に固定されたものが用いられる。中間材３表面と上下の切刃２ａ，２ｂ表面との間には隙間が形成されており、切刃２の往復運動時に切刃２と中間材３とが常に接触した状態で動くことがないようにしている。また、切刃２が往復運動時に上下方向に動いて中間材３に接触するようなことがあっても、中間材３が切刃２よりも柔らかいので、切刃２の磨耗や欠けを防止している。
【０００３】
【発明が解決しようとする課題】
しかしながら、上記従来の刈込み装置では、切刃や中間材の部品精度や組み立て精度のバラツキによっては、切刃と中間材とが面接触して摺動抵抗が大きくなることによって、磨耗や運動負荷の増大が起こったり、切刃の上下移動が大きくなって上下の切刃が接触したり、切刃がその保持機構から外れたりすることがある。
【０００４】
本発明は、上記事由に鑑みてなされたものであり、その目的は、切刃や中間材の部品精度や組み立て精度のバラツキなどがあっても、切刃と中間材との面接触による磨耗や運動負荷の増大を防止できるとともに、切刃の上下移動による上下の切刃の接触や保持機構からの外れなどを防止できる刈込み装置を提供することにある。
【０００５】
【課題を解決するための手段】
請求項１記載の発明は、基部を本体に固定して対向配置した上下一対の保持板と、櫛状の刃部を有し、両保持板間に保持されて差動状に往復運動して刃部を擦り合わせて切断作用をなす少なくとも一方を可動とした上下一対の切刃と、両切刃間に隙間を設けて介装されて上下の切刃の基部が接触しないよう遮蔽する平板状の中間材と、を備えた刈込み装置において、中間材に可動切刃表面と点接触する点接触部を設けてなることを特徴として構成している。
【０００６】
このような刈込み装置では、中間材に可動切刃表面と点接触する点接触部を設けているので、中間材の点接触部が可動切刃表面と点接触した状態で往復運動し、切刃の摺動抵抗が小さくなるともに、点接触部が切刃を支えて切刃の上下移動を防止している。また、平板状の中間板が両切刃間に隙間を設けて介装されているので、上下の切刃の基部が接触しないように遮蔽している。
【０００７】
また、請求項２記載の発明は、基部を本体に固定して対向配置した上下一対の保持板と、櫛状の刃部を有し、両保持板間に保持されて差動状に往復運動して刃部を擦り合わせて切断作用をなす少なくとも一方を可動とした上下一対の切刃と、両切刃間に隙間を設けて介装されて上下の切刃の基部が接触しないよう遮蔽する平板状の中間材と、を備えた刈込み装置において、中間材に可動切刃表面と線接触する線接触部を設けてなることを特徴として構成している。
【０００８】
このような刈込み装置では、中間材に可動切刃表面と線接触する線接触部を設けているので、可動切刃表面が線接触部と線接触した状態で往復運動し、切刃の摺動抵抗が小さくなるともに、切刃の上下移動による駆動機構からの外れを防止している。また、可動切刃表面と中間材とが点接触する場合に比べて、可動切刃と中間材との接触圧を分散して可動切刃や中間材の磨耗をより少なくできる。また、平板状の中間板が両切刃間に隙間を設けて介装されているので、上下の切刃の基部が接触しないように遮蔽している。
【０００９】
【発明の実施の形態】
以下、本発明の実施の形態を図１乃至６に基づいて説明する。
【００１０】
図１は、本発明の参考例の刈込み装置の要部を示し、（ａ）は縦断面図であり、（ｂ）は横断面図である。また図２は、同参考例の刈込み装置の全体を示す一部破断した側面図である。
【００１１】
図１、図２に示すように、この刈込み装置は、基部を本体に固定して対向配置した上下一対の保持板１ａ，１ｂと、櫛状の刃部を有し、両保持板１ａ，１ｂに保持されて差動状に往復運動して刃部を擦り合わせて切断作用をなす少なくとも一方を可動とした上下一対の切刃２ａ，２ｂと、両切刃２ａ，２ｂ間に介装されて上下の切刃２ａ，２ｂの基部が接触しないよう遮蔽する中間材３とを備えた刈込み装置であり、中間材３に可動切刃表面と点接触する点接触部を設けている。また、貫通孔３ｅを有して基部側に固定されたプレート材３ａと、このプレート材３ａの貫通孔３ｅに介装されてプレート材３ａ表面から突出する突出部を点接触部となす介装部材４とから中間材３を形成している。このような刈込み装置として例えば庭木バリカンが挙げられ、以下庭木バリカンに関して説明を行う。
【００１２】
庭木バリカンは、ハウジング１５の前部に長尺の上下の切刃２ａ，２ｂを突出させ、上部にスイッチ１６を有するグリップ１０を設け、ハウジング１５よりも上側に補助グリップ１３を備えている。ハウジング１５の内部にはモータ１２および減速ブロック１４を設け、この減速ブロック１４に回転出力軸７が取り付けられている。保持板１ａ，１ｂは、本体下部に基部が固定され長手方向に間隔を隔ててリベットのような結合部（図示せず）にて遊嵌結合し、この両保持板１ａ，１ｂ間に上下の切刃２ａ，２ｂを往復運動自在に保持している。
【００１３】
偏心カム６ａ，６ｂは、略円盤状に形成され、モータ１２および減速ブロック１４に結合された回転出力軸７に上側用と下側用のものがそれぞれ中心をずらして上下に離間して固定され、回転出力軸７の回転により楕円回転するおうにしている。また上下の偏心カム６ａ，６ｂは互いに回転の位相が１８０度反対になるよう回転出力軸７に固定され、上側用の偏心カム６ａが前側に突出したときには、下側用の偏心カム６ｂは後側に突出する。
【００１４】
また、上下の切刃２ａ，２ｂには対応する偏心カム６ａ，６ｂに係合する左右方向に長径、前後方向すなわち切刃往復方向に短径を有する楕円形状の連係孔２ｃ、２ｄがそれぞれ形成されている。そして、上側の偏心カム６ａを上側の切刃２ａの連係孔２ｃに係合し、下側の偏心カム６ｂを下側の切刃２ｂの連係孔２ｄに係合し、モータ１２および減速ブロック１４にて回転出力軸７を低速回転させて上下の切刃２ａ，２ｂを互いに反対方向に往復運動させることができるようしてある。切刃２ａ，２ｂはそれぞれ両側縁に沿って櫛状の刃部を有し、差動状に往復運動して刃部を擦り合わせることによって、庭木の枝などを切断する。
【００１５】
また、中間材３は、略平板状に形成され、後部が下側の保持板１ｂに固定され、前部に偏心カム６ａ，６ｂを収納する半円形状の凹部を有し、凹部の両側片３ｂがそれぞれ切刃２ａ，２ｂを左右で接触しないように仕切っている。左右それぞれの両側片３ｂ略中央には長方形形状の貫通孔３ｅがそれぞれ設けられ、この貫通孔３ｅ内にそれぞれ両側片３ｂよりも厚みの大きい矩形体形状の介装部材４ が内嵌されている。介装部材４の上下端部はそれぞれ両側片３ｂ表裏面よりも突出して突出部を形成しており、この突出部の上端面および下端面が上下の刃の下面および上面に接して保持されている。介装部材４としては摩擦係数の小さい材料のものを適宜用いることができる。
【００１６】
このような庭木バリカンでは、スイッチ１６を投入してモータ１２を回転させることにより、減速ブロック１４を介して回転出力軸７が低速回転し、偏心カム６ａ，６ｂが互いに連係孔２ｃ，２ｄ内で１８０度位相の異なる楕円回転を行う。この偏心カム６ａ，６ｂの楕円回転により連係孔２ｃ，２ｄの短径方向の異なる向きに切刃２ａ，２ｂが差動状に往復運動させられ切断作用をなす。
【００１７】
このとき、中間材３にの可動切刃表面と接触する点接触部を有する介装部材４を設けているので、可動切刃表面が点接触部と点接触した状態で往復運動し、切刃２の摺動抵抗が小さくなるともに、切刃２ａ，２ｂの上下移動による駆動機構からの外れ、すなわち連係孔２ｃ，２ｄからの偏心カム６ａ，６ｂの脱落を防止している。また、プレート材３ａの貫通孔３ｅに介装された介装部材４の突出部を中間材３の点接触部としているので、可動切刃２がこの突出部と点接触した状態で摺動している。また、介装部材４として摩擦係数の小さい材料のものを用いているので、切刃２ａ，２ｂと介装部材４との摺動抵抗をより小さくでき、モータ１２への負荷が小さいものとなっている。
【００１８】
図３は、本発明の実施の形態の刈込み装置を示す要部の縦断面図である。
【００１９】
図３に示すように、この刈込み装置は同上に示す刈込み装置と同様に、基部を本体に固定して対向配置した上下一対の保持板１ａ，１ｂと、櫛状の刃部を有し、両保持板１ａ，１ｂ間に保持されて差動状に往復運動して刃部を擦り合わせて切断作用をなす少なくとも一方を可動とした上下一対の切刃２ａ，２ｂと、両切刃２ａ，２ｂ間に介装されて上下の切刃２ａ，２ｂの基部が接触しないよう遮蔽する中間材３とを備えた刈込み装置であり、中間材３に可動切刃表面と点接触する点接触部を設けている。異なる点は、介装部材４を貫通孔３ｅ内で回転可能な球状に形成していることである。
このような刈込み装置では、介装部材４を貫通孔３ｅ内で回転可能な球状に形成しているので、切刃２ａ，２ｂが球状の介装部材４の突出部で点接触して摺動したときに、介装部材４が貫通孔３ｅ内で回転し、切刃２ａ，２ｂや介装部材４の磨耗をより少なくできる。
【００２０】
図４は、本発明の同上と異なる実施の形態の刈込み装置を示す要部の縦断面図である。
【００２１】
図４に示すように、この刈込み装置は同上に示す刈込み装置と同様に、基部を本体に固定して対向配置した上下一対の保持板１ａ，１ｂと、櫛状の刃部を有し、両保持板１ａ，１ｂ間に保持されて差動状に往復運動して刃部を擦り合わせて切断作用をなす少なくとも一方を可動とした上下一対の切刃２ａ，２ｂと、両切刃２ａ，２ｂ間に介装されて上下の切刃２ａ，２ｂの基部が接触しないよう遮蔽する中間材３とを備えた刈込み装置であり、中間材３に可動切刃表面と点接触する点接触部を設けている。異なる点は、接触部を切刃往復方向に並設していることである。接触部は、プレート状の中間材３の切刃２ａ，２ｂ間の部分を刃の往復方向に数個の山谷を有する波型に成形し、この波型部３ｆの山の頂部を上側切刃２ａとの点接触部とし、谷の底部を下側切刃２ｂとの点接触部としている。
【００２２】
このような刈込み装置では、接触部を切刃往復方向に並設しているので、切刃２ａ，２ｂが複数の介装部材４と点接触して摺動し、切刃２ａ，２ｂの往復運動が安定しており、低負荷なものとなっている。また切刃２ａ，２ｂと介装部材４との接触圧を分散して切刃２ａ，２ｂや介装部材４の磨耗をより少なくしている。
【００２３】
図５は、本発明の同上と異なる実施の形態の刈込み装置を示す要部の縦断面図である。
【００２４】
図５に示すように、この刈込み装置は同上に示す刈込み装置と同様に、基部を本体に固定して対向配置した上下一対の保持板１ａ，１ｂと、櫛状の刃部を有し、両保持板１ａ，１ｂ間に保持されて差動状に往復運動して刃部を擦り合わせて切断作用をなす少なくとも一方を可動とした上下一対の切刃２ａ，２ｂと、両切刃２ａ，２ｂ間に介装されて上下の切刃２ａ，２ｂの基部が接触しないよう遮蔽する中間材３とを備えた刈込み装置であり、中間材３に可動切刃表面と点接触する点接触部を設けている。異なる点は、可動切刃内面の切刃往復方向に凹部８を設け、この凹部８内に中間材３を保持するようにしていることである。凹部８は左右の両側片３ｂの切刃往復方向に長手方向を有する溝状に形成され、中間材３を凹部８内で回転移動可能な球状に形成している。中間材３は上端が凹部８内面、下端が下側の切刃２ｂ上面に接した状態で保持されており、上側の切刃２ａが前方へ移動すなわち下側の切刃２ｂが後方へ移動したとき、中間材３と切刃２との摩擦により中間材３は前回転しながら凹部８後方へ移動する。また、逆に上側の切刃２ａが後方へ移動すなわち下側の切刃２ｂが前方へ移動したとき、中間材３と切刃２との摩擦により中間材３は後回転しながら凹部８前方へ移動する。
【００２５】
このような刈込み装置では、中間材３が凹部８内で回転自在に保持されているので、プレート材３ａのような中間材３を保持固定するための部材を必要とせず、部品点数を低減できる。また可動切刃２が球状の中間材３と点接触して摺動したときに、中間材３が凹部８内の切刃往復方向に回転移動するので、可動切刃２と中間材３との磨耗をより少なくできる。
【００２６】
図６は、本発明の同上と異なる実施の形態の刈込み装置を示す要部の縦断面図である。
【００２７】
図６に示すように、この刈込み装置は、基部を本体に固定して対向配置した上下一対の保持板１ａ，１ｂと、櫛状の刃部を有し、両保持板１ａ，１ｂ間に保持されて差動状に往復運動して刃部を擦り合わせて切断作用をなす少なくとも一方を可動とした上下一対の切刃２ａ，２ｂと、両切刃２ａ，２ｂ間に介装されて上下の切刃２ａ，２ｂの基部が接触しないよう遮蔽する中間材３とを備えた刈込み装置であり、中間材３に可動切刃表面と線接触する線接触部を設けている。線接触部は、プレート状の中間材３における上下切刃２の間の部分を刃の往復方向に長い凹溝状に成形し、この凹溝状部の底面が下側の切刃２ｂの上面に接触するようにしている。
【００２８】
このような刈込み装置では、中間材３に可動切刃２表面と接触する線接触部を設けているので、可動切刃表面が線接触部と線接触した状態で往復運動し、切刃２ａ，２ｂの摺動抵抗が小さくなるともに、切刃２ａ，２ｂの上下移動による駆動機構からの外れを防止している。また、可動切刃表面が接触部とが点接触する場合に比べて、切刃２ａ，２ｂと中間材３との接触圧を分散して切刃２ａ，２ｂや中間材３の磨耗をより少なくできる。
【００２９】
【発明の効果】
請求項１の発明は、中間材に可動切刃表面と点接触する点接触部を設けているので、中間材の点接触部が可動切刃表面と点接触した状態で往復運動し、切刃の摺動抵抗が小さくなるともに、接触部が切刃を支えて切刃の上下移動を防止している。また、平板状の中間板が両切刃間に隙間を設けて介装されているので、上下の切刃の基部が接触しないように遮蔽している。したがって、切刃や中間材の部品精度や組み立て精度のバラツキなどがあっても、切刃と中間材との面接触による磨耗や運動能力の低下を防止できるとともに、切刃の上下移動による上下切刃の接触や駆動機構からの外れなどを防止できる。
【００３０】
請求項２の発明は、中間材に可動切刃表面と線接触する線接触部を設けているので、可動切刃表面が線接触部と線接触した状態で往復運動し、切刃の摺動抵抗が小さくなるともに、切刃の上下移動による駆動機構からの外れを防止している。また、可動切刃表面と中間材とが点接触する場合に比べて、可動切刃と中間材との接触圧を分散して可動切刃や中間材の磨耗をより少なくできる。また、平板状の中間板が両切刃間に隙間を設けて介装されているので、上下の切刃の基部が接触しないように遮蔽している。
【図面の簡単な説明】
【図１】  本発明の参考例の刈込み装置の要部を示し、（ａ）は縦断面図であり、（ｂ）は横断面図である。
【図２】  同参考例の刈込み装置の全体を示す一部破断した側面図である。
【図３】  本発明の実施の形態の刈込み装置を示す要部の縦断面図である。
【図４】  本発明の同上と異なる実施の形態の刈込み装置を示す要部の縦断面図である。
【図５】  本発明の同上と異なる実施の形態の刈込み装置を示す要部の縦断面図である。
【図６】  本発明の同上と異なる実施の形態の刈込み装置を示す要部の縦断面図である。
【図７】  従来の刈込み装置を示す要部の縦断面図である。
【符号の説明】
１  保持板
１ａ  上側の保持板
１ｂ  下側の保持板
２  切刃
２ａ  上側の切刃
２ｂ  下側の切刃
２ｃ  上側の切刃の連係孔
２ｄ  下側の切刃の連係孔
３  中間材
３ａ  プレート材
３ｂ  両側片
３ｃ  波型部
３ｄ  凹溝部
３ｅ  貫通孔
３ｆ  波型部
４  介装部材
６  偏心カム
６ａ  上側の偏心カム
６ｂ  下側の偏心カム
７  回転出力軸
８  凹部
【図１】
0004374821.tif 000002
【図２】
0004374821.tif 000003
【図３】
0004374821.tif 000004
【図４】
0004374821.tif 000005
【図５】
0004374821.tif 000006
【図６】
0004374821.tif 000007
【図７】
0004374821.tif 000008